(57)【要約】【課題】  ペットの糞に触れる不快感を最小限にし、糞を排泄面から確実に分離して収容し、廃棄できる、安価で使い捨て可能なペット用糞取り器を提供する。【解決手段】  ペット用糞取り器１０；２０；３０；４０；５０は、一方の軸線方向端１１ａ；２１ａ；３１ａ；４１ａに開口１１ｂ；２１ｂ；３１ｂ；４１ｂを有する有底筒状の収容部１１；２１；３１；５１ａ−５１ｅと、収容部の開口に取付けて糞に押し付けたとき収容部内に糞を取り入れて保持するネット部１２；２２；３２；４２；５２とを備え、収容部とネット部は紙又はプラスチックでなる。所望によりネット部に被せて収容部の開口を閉じる紙またはプラスチック製の蓋部１３；２３；３３；４３；５３を備え、破砕可能な封入体に乾燥剤１４を入れて蓋部外面に貼付するか、収容部内に保管する。【選択図】      図１
2005130738.tif 000002
【特許請求の範囲】
【請求項１】
一方の軸線方向端（１１ａ；２１ａ；３１ａ；４１ａ）に開口（１１ｂ；２１ｂ；３１ｂ；４１ｂ）を有する有底筒状の収容部（１１；２１；３１；４１）と、収容部の開口に取付けて糞に押し付けたとき収容部内に糞を取り入れて保持するネット部（１２；２２；３２；４２）とを備え、収容部とネット部は紙又はプラスチックでなるペット用糞取り器（１０；２０；３０；４０；５０）。
【請求項２】
ネット部（１２；２２；３２；４２）に被せて収容部（１１；２１；３１；４１）の開口（１１ｂ；２１ｂ；３１ｂ；４１ｂ）を閉鎖する紙又はプラスチックでなる蓋部（１３；２３；３３；４３）を更に備える請求項１のペット用糞取り器（１０；２０；３０；４０）。
【請求項３】
収容部（１１；２１；３１；４１）とネット部（１２；２２；３２；４２）と蓋部（１３；２３；３３；４３）のいずれかに添付した封入体内に放出可能に封入した乾燥剤（１４）を更に備える請求項２のペット用糞取り器（１０；２０；３０；４０）。
【請求項４】
ネット部（１２；２２；３２）は収容部（１１；２１；３１）の開口（１１ｂ；２１ｂ；３１ｂ）周縁に適合する環状体（１２ａ）と、環状体内空間に張設したネット（１２ｂ）とでなり、ネット（１２ｂ）は中心領域（１２ｃ）の網目を粗く、周辺領域（１２ｄ）の網目を密にした請求項１から３のいずれかのペット用糞取り器（１０；２０；３０）。
【請求項５】
ネット部（１２；２２；３２）は収容部（１１；２１；３１）の開口（１１ｂ；２１ｂ；３１ｂ）周縁に適合する環状体（１２ａ）と、環状体内空間の周辺領域（１２ｄ）を塞ぐシート材（１２ｅ）と、中心領域（１２ｃ）に張設した粗い網目のネット（１２ｂ）とでなる請求項１から３のいずれかのペット用糞取り器（１０；２０；３０）。
【請求項６】
収容部（１１）はコップ形状を有し、ネット部（１２）は円形である請求項１から５のいずれかのペット用糞取り器（１０）。
【請求項７】
収容部（２１）は角筒形を有し、角筒形の周面胴部に折畳み線（２１ｆ）を形成した請求項１から５のいずれかのペット用糞取り器（２０）。
【請求項８】
収容部（３１）は角筒形を有し、角筒形の底部をなす他方の軸線方向端（３１d）を一方の軸線方向端（３１a）より大きい径として周面胴部を一方向端（３１a）に向けテーパー状とすると共に、底部を他方向端（３１d）の各辺から折り曲げ可能に延出するフラップ（３１e）で形成した請求項１から５のいずれかのペット用糞取り器（３０）。
【請求項９】
ネット部（４２）はそれぞれ幅方向において収容部（４１）の底部（４１ｃ）に向けて伸びると共に互いにほぼ平行な複数の縦桟（４２ａ）と、同様に幅方向を底部（４１ｃ）に向けると共に縦桟（４２ａ）と交差して設けた一又は複数の横桟（４２ｂ）とでなる格子体であり、縦桟（４２ａ）と横桟（４２ｂ）はそれぞれの両端縁において収容部開口端（４１ａ）の内面に固定される請求項１のペット用糞取り器（４０）。
【請求項１０】
有底筒状収容部（５１）はその側面部（５１ａ‐５１ｄ）及び底部（５１ｅ）を１枚の平坦な紙またはプラスチックシートの連続部分として作成され、ネット部（５２）は更に前記側面部の連続部分を折り曲げて収容部（５１）を形成したときに収容部の開口となる側面部連続部分の一部から延設して形成したフレーム部分（５２ａ）に周縁を固定したネット（１２）でなり、蓋部（５３）は前記側面部連続部分を折り曲げて収容部を形成したときにその開口となる側面部連続部分の他部から延設して形成される請求項１のペット用糞取り器（５０）。
【発明の詳細な説明】
【技術分野】
【０００１】
この発明は犬、猫等のペット、特に小型から大型までの犬の排泄した糞を、その排泄面から極めて容易に、確実に、しかも糞に触れる不快感を最小限に抑えて清潔に取り上げ収容し、廃棄し得るようにするペット用糞取り器に係る。
【背景技術】
【０００２】
近年、飼い犬の散歩に不可避の排泄糞は飼い主による収集廃棄が義務化されつつあり、そのため飼い主たちは割り箸で摘み取る、スコップ等で掬い取る、手にビニール袋を被せて掴み取る、などの手段を採ることになるが、これらの手段では直接糞に接触する不快感や不潔感を拭えない。これらの点にかんがみ、多様な器具が提案されてきた。
【０００３】
例えば特許第２９６３０９９号公報記載の動物の糞取り器は、柔軟でやや硬質の樹脂製の袋の少なくとも一辺をファスナーで開閉しうるようにし、他の一辺に弾性復帰力の強い帯状樹脂シートを貼着した開口として、この開口を手で開いてへら等で糞を入れた後、樹脂シートの復帰力で自動的に閉じさせる。
【０００４】
また特許第３３４３３７１７号公報には、上端を開口とした糞容器の後端に上蓋を開閉自在に枢着し、糞容器に対し角度変更自在に下端を枢着した柄の上端を把持部とし、把持部に対し相対的に移動させ得る操作レバーを柄に取付け、操作レバーの移動に連動して柄を後方に傾斜させる手段と上蓋を開放させる手段とを作動させるようにした犬の糞取り器が提案されており、犬が糞を排泄する態勢に入る瞬間に柄を傾斜させて上蓋を開放すると共に、糞容器を犬の後方から両後足間に挿入して排泄される糞を収容できるようにしている。
【０００５】
更に、特開２００３−５２２６５号公報に記載の携帯糞取り器は、上下挟み片のそれぞれの舌状体端部を弾性体で結合して挟み片側を常開状態にし、開かれた上下挟み片の内側にビニール袋の底部を入れ、端縁部は外側に折り返して止めておき、糞をビニール袋内に掬い入れた後上下挟み片を強く握って閉じ、糞を単独で或いはビニール袋と共に廃棄する。
【特許文献１】特許第２９６３０９９号公報
【特許文献２】特許第３３４３７１７号公報
【特許文献３】特開２００３−５２２６５号公報
【発明の開示】
【発明が解決しようとする課題】
【０００６】
上記特許第２９６３０９９号公報の糞取り器は構成と操作が簡単で比較的に安価に製造できるが、それでもなお使い捨てとするに充分に安価とは言えず、また、硬質樹脂であるため廃棄する場合に環境上の問題を生じる。反復して使用するにはファスナーを開いて袋の内外面を洗浄せねばならず、犬の飼い主は糞の取り込みと廃棄の両方で糞に接することとなるから、糞に接するときの不快感を嫌う飼い主にはこの糞取り器は不向きである。
【０００７】
特許第３３４３７１７号公報の糞取り器はやや大型で複雑であり、高価であるが、犬が排泄態勢に入る瞬間に糞を収容し得る位置に置くことができると言う利点を有する。しかし、この瞬間を逃したとき、つまり、地面等に排泄された糞を取り込むことが必要となったときは、この糞取り器は割り箸、ビニール袋などで掴み取るなど飼い主が直接糞に接することを求めるし、また、その構成上高価であるため使い捨てにはなりえず、反復使用のためには洗浄を不可欠とする点に課題が残る。
【０００８】
特開２００３−５２２６５号公報の糞取り器では、糞の挟み取りには常開状態の上下挟み片を強く握る力を必要とし、糞の収容後は上下挟み片を閉じたままに係止する手段を備えねばならない。また、糞の収容は挟み取り動作に頼るため、糞を排泄面から確実に掬い取ることを考えると、糞が硬い固形状態の場合にしかこの糞取り器は使用に適さないし、更に、この糞取り器は糞の収容部分にビニール袋を併用するから使用の都度本体が汚れる可能性は低いが、廃棄の際に環境上の問題を含むビニール袋の使用が必須とされる等の課題が在る。
【０００９】
この発明はこれらの課題を解決するためになされたもので、その第１の目的はペットの糞に直接触れる不快感を最小限にして糞を排泄面から確実に分離して収容でき、糞を直視することを必要とせずに廃棄できる無公害性の、安価に製造可能で使い捨てできるペット用糞取り器を提供することにある。
【課題を解決するための手段】
【００１０】
これらの課題を解決するために、この発明に係るペット用糞取り器は一方の軸線方向端に開口を有する有底筒状の収容部と、収容部の開口に取付けて糞に押し付けたと
き収容部内に糞を取り入れ保持するネット部とを備え、収容部とネット部は紙またはプラスチックでなることを特徴とする。
【００１１】
この発明に係るペット用糞取り器は、ネット部に被せて収容部の開口を閉鎖する紙又はプラスチックでなる蓋部を更に備えることを特徴とする。
【００１２】
この発明に係るペット用糞取り器は、収容部とネット部と蓋部のいずれかに添付した封入体内に放出可能に封入した乾燥剤を更に備えることを特徴とする。
【００１３】
この発明に係るペット用糞取り器は、ネット部が収容部の開口周縁に適合する環状体と、環状体内空間に張設したネットとでなり、ネットは中心領域の網目を粗く、周辺領域を密にしたことを特徴とする。
【００１４】
この発明に係るペット用糞取り器は、ネット部が収容部の開口周縁に適合する環状体と、環状体内空間の周辺領域を塞ぐ紙又はプラスチックのシート材と、中心領域に張設した粗い網目のネットとでなることを特徴とする。
【００１５】
この発明に係るペット用糞取り器は、また、収容部がコップ形状を有し、ネット部は円形であることを特徴とする。
【００１６】
この発明に係るペット用糞取り器は、更に、収容部が角筒形で周面胴部に折り畳み線を形成したことを特徴とする。
【００１７】
この発明に係るペット用糞取り器は、更に、収容部が角筒形に形成され、角筒形の底部をなす他方の軸線方向端を一方の軸線方向端より大きい径として周面胴部を一方向端に向けテーパー状とすると共に、底部を他方向端の各辺から折り曲げ可能に延出するフラップで形成したことを特徴とする。
【００１８】
この発明に係るペット用糞取り器は、更に、ネット部がそれぞれ幅方向において筒状収容部の底部に向けて延びると共に互いにほぼ平行する複数の縦桟と、同様に幅方向を底部に向けて延びると共に縦桟と交差して設けた一または複数の横桟とでなる格子体であり、縦桟と横桟はそれぞれ両端縁において収容部開口端の内面に固定されることを特徴とする。
【００１９】
この発明に係るペット用糞取り器は、また、有底筒状収容部がその側面部及び底部を一枚の紙またはプラスチックシートの連続部分として作成され、ネット部が更に前記側面部の連続部分を折り曲げて収容部を形成したときに収容部の開口となる側面部連続部分の一部から延設して形成したフレーム部分に周縁を結合したネットでなり、蓋部は前記側面部の連続部分を折り曲げて収容部を形成したときにその開口となる側面部連続部分の他部から延設して形成されることを特徴とする。
【発明の効果】
【００２０】
この発明によれば、ペット用糞取り器は有底筒状の収容部の開口端に、糞を取り入れて収容部内に保持するネット部を備え、これら収容部とネット部を紙またはプラスチック、望ましくは無公害性のプラスチック製としたから、糞取り作業にあたって使用者はネット部で糞を上から押え付け、切断するようにして、ネット部が地面に着くまで収容部を糞に被せ、次いでネット部が地面に沿って摺り動くように全体を左右に振り動かせばネット部の網糸が糞を地面から完全に分離する。ここでネット部を上にして収容部を立てれば、糞は収容部内に保持収容される。糞収容後、ネット部に蓋部を被せて収容部の開口を閉鎖することにより、臭気の流出が防止される。
【００２１】
この発明によれば、また、収容部とネット部と蓋部のいずれかに、封入体内に放出可能に封入した乾燥剤を添付したので、糞取り作業に先立って、或いは特に軟らかい糞を取るときに限って、封入体を破砕して乾燥剤を糞に振り掛けておけば、軟便の場合であってもネット部による押え付け、切断を介する糞の取り込みが容易かつ確実となる。
【００２２】
更にこの発明によれば、ネット部を構成するネットの網目を中心領域で粗くしたので糞が通り易くなり、周辺領域で密にしたので主として中心領域から収容部内に入った糞が抜け出しにくくなって収容部内に保持される。
【００２３】
また、この発明によれば収容部がコップ形状に形成されるので、保管の際にはネット部と分離して多数の収容部を重ねて置くことができるため、保管時のスペースを小さくし得る。
【００２４】
更にこの発明によれば収容部を角筒状とし、折り畳み可能に形成するので、折り畳んで減少体積をもって保管することが可能となる。
【００２５】
更にこの発明によれば収容部を角筒状とし、その底部をなす他方の軸線方向端を一方の軸線方向端より大きい径として周面胴部を一方向端に向けテーパー状とすると共に、底部を他方向端の各辺から折り曲げ可能に延出するフラップで形成したので、フラップを開いておけば多数のネット部付収容体を重ね合わせ、減少体積をもって保管することができる。
【００２６】
更にこの発明によれば収容部の開口から底部への方向に幅方向を一致させた板状の縦桟と横桟を交差させてなる格子体でネットを形成したので、糞の取り込み方向におけるネットの強度が高まり、比較的に硬い糞や大型の糞でも格子体によって容易に押し切って収容することができ、隣接する各桟との糞の接触面積も大きくなって保持力が向上した格子体のネットによって糞の捕捉がさらに容易となる。
【００２７】
また、この発明によれば収容部の各部分とネット部、更には蓋部のすぺてを１枚のシートで連続して形成することによって、使用前は多数の糞取り器を集積しておくことができるため、使用前のストックあるいは販売時の嵩張りを極めて有効に減じることができる。
【発明を実施するための最良の形態】
【００２８】
以下にこの発明の幾つかの実施例を添付の図面に基づいて説明する。
【実施例１】
【００２９】
図１と図２はこの発明に係るペット用糞取り器の実施例１における構成を示す分解斜視図と一部分の平面図である。
【００３０】
図１において、ペット用糞取り器１０は紙コップでなる収容部１１と、収容部１１の開口に取付けるネット部１２と、ネット部１２に被せて収容部１１の開口を閉鎖する蓋部１３とを備える。収容部１１は市販されている通常の紙コップで良く、軸線方向の一端１１ａを開口１１ｂとし、他端を底部１１ｃで閉じてある。紙コップを使用することは、それが防水性であると共に不透明で内容物が見えないため、糞を収容する際の使用者の不快感を減じることになると同時に、底部１１ｃ側が開口１１ｂ側より小径であるため多数を重ねて短くして保管できる利点を利用できる。また安価で焼却性も高いから、使い捨てとして可燃ごみの形で廃棄しうる利点もある。勿論プラスチック製のコップでも良いが、不透明で安全に、無公害で焼却できるものが望ましい。
【００３１】
ネット部１２はこの発明に係るペット用糞取り器１０のもっとも顕著な特徴をなすもので、収容部１１つまり紙コップの開口端１１ａの周縁に嵌合取付けされる環状体１２ａと、その内側の円形の空間に張設したネット１２ｂとでなる。ネット１２ｂはパラフィン等を含浸した植物繊維糸、合繊糸など或る程度の強靭性を有すると共に可燃性であることが望ましい。また、ネット１２ｂは全般に粗い網目のものでよいが、図２に示すように中心領域１２ｃで特に粗く、周辺領域１２ｄで密な網目とすることが望ましい。これは、中心領域１２ｃにおいて糞を通し易くする一方、周辺領域１２ｄではネットを通過して収容部１１内に入った糞が通りにくくなって収容部内に保持されるようにする。図示の横糸と縦糸によるネットに代えて、蜘蛛の巣状のネットとすることも考えられるが、その場合は中心部に穴を設ける必要がある。
【００３２】
ネット部１２はこの場合収容部１１とは別体に形成して市販の紙コップを収容部として利用できるようにするから、ネット部１２の環状体１２ａは最も一般的な寸法の紙コップの開口端１１ａの外径に適合する内径を有し、望ましくは内方突起を持たせて紙コップの開口端１１ａのフランジ部分に係止させて、ネット部１２を収容部１１から離脱し難くする。
【００３３】
ネット部１２を取付けた収容部１１はここで糞取り作業に使用可能である。使用者はネット部１２を下に向け、つまり糞に向けて収容部１１を把持し、ネット部１２の中心領域１２ｃを糞の中心に、或いは一番高い所に当て、ネット１２ｂで糞を押し切るように収容部１１を糞に押し付ける。ネット部１２が糞の排泄面（地面）に接したとき、その位置でネット部１２が地面上で摺り動くように収容部１１を前後左右に、地面に沿って振り動かすことによってネットが糞を地面から分離し、ネット内面に載せる。ネット１２ｂの周辺領域１２ｄは網目が密であるため、収容部１１を少し傾ければ糞は収容部１１内に保持される。
【００３４】
蓋部１３は収容部１１に取付けたネット部１２に被せることによって収容部１１内に収容した糞がネット１２ｂから抜け出ることや、臭気が漏れ出ることを防ぐ。ネット部１２を介して糞を収容部１１に収容した後はそのまま直ちにビニール袋等に入れて袋を閉じることを想定すれば、蓋部１３は省略しうる。
【００３５】
例えば図示のように蓋部１３の外側面に、破砕可能な紙袋等に封入した粉状の乾燥剤１４を貼付して置き、糞が軟らかい場合に使用者は袋を破って乾燥剤１４を前以って糞に振り掛けて置き、軟らかい糞の少なくとも表面部分が硬くなった段階で上記した作業を開始すれば、対象が軟便の場合にも作業は容易となる。乾燥剤としては、例えば乾いた砂、シリカゲル、高分子吸収剤等が挙げられるが、対象物から水を吸収し得るものであれば良く、安価であることが望ましい。
【００３６】
図３は実施例１におけるネット部１２の図２に示す実施形態に代える第２の実施形態を示し、この実施形態のネット部１２は環状体１２ａの内側の周辺領域を防水剤含浸紙または不透明プラスチックのシート材１２ｅとし、中心領域を粗い網目のネット１２ｂとする。この場合シート材１２ｅは円形の穴を有することになるが、この穴の縁部が安定なものであればネット１２ｂは省略しても良い。
【実施例２】
【００３７】
図４はこの発明に係るペット用糞取り器の第２の実施例における構成を示し、この糞取り器２０の収容部２１は角筒形を有し、その周面胴部に折り畳み線２１ｆを設ける。図では胴部をある程度折り畳んだ状態で示してあり、完全に折り畳めば角形とした蓋部２３の中に収まる寸法とすることが望ましい。この収容部２１の開口端２１ｂには角形としたネット部２２が環状体１２ａにおいて取付けられる。使用に際しては、蓋部２３を収容部２１から外して収容部２１を真っ直ぐに伸ばせば、実施例１の場合と同様に糞取り作業を行える。収容部２１は折り畳めば小寸となるので多数を重ねても嵩張らないため、ネット部２２を収容部２１と一体に作成して置くことができる。
【実施例３】
【００３８】
図５はこの発明に係るペット用糞取り器の第３の実施例における構成を示し、この糞取り器３０の収容部３１も角筒形を有するが、一方の軸線方向端３１ａに対向する他方の軸線方向端３１ｄを一方端３１ａよりも大きい径、即ち角型端縁の各辺の長さをネット部３２側の一方端３１ａの各辺より長くし、周面胴部が一方端３１ａに向けてテーパー状となるように形成する。有底筒状体の底部となる他方端３１ｄは開閉自在の底部を形成するために、例えば他方端３１ｄの各辺から延長する折り曲げ可能なフラップ３１ｆを設ける。これらフラップ３１ｆは勿論糞取り作業の際に内側に折り曲げて他方端３１ｄを閉鎖する底部を構成する。  角型としたネット部３２は実施例１と同様の環状体１２ａとネット１２ｂを有し、収容部３１の一方端３１ａに取付けられるが、収容部３１をテーパー状とし、底部を構成するフラップ３１ｆを開閉自在としたため、フラップ３１ｆを開放状態にしておけば、紙コップの場合と同様に多数の収容部３１ｆを重ね合わせて保管でき、その際にはネット部３２の存在が重ね合わせの阻害とはならないから、収容部３１とネット部３２を一体に作成しておくことが可能となる。
【００３９】
実施例１から実施例３までを通じて蓋部１３，２３，３３は収容部１１，２１，３１ないしネット部１２，２２，３２とは別体で作成されるが、使用の際を除いて各部は一体に組み合わせて保管される。一方、ネット部については、特に実施例１の場合は市販の紙コップを収容体として利用するので収容部と別体で作成するのが自然である。また、多数の紙コップを重ね合わせて保管する場合、一つのコップの開口に他のコップの底部を挿入するため、ネット部を開口に取付けて置くことはできない。従って実施例１ではネット部は収容部とは別体で作成され、蓋部との組み合わせで保管され、販売される。
【実施例４】
【００４０】
図６に示す本発明に係る第４の実施例のペット用糞取り器４０では、ネット部４２は第１ないし第３の実施例に示す各ネット部１２，２２，３２に用いるネット１２ｂとは異なる形状のネットを用いる。即ち、ここでは箱形の収容部４１の一方端４１ａの開口４１ｂに設けたネット部４２は、多数の互いにほぼ平行な縦桟４２ａと、これら縦桟４２ａとほぼ直角に交差するここでは単独の横桟４２ｂとでなる格子体の形状を採り、格子体の各桟はその幅方向を開口４１ｂから底部４１ｃへの軸方向に合わせて延び、各桟の両端は直接または固定用の環状体を介して収容部４１の一方端４１ａの内周面に固定される。紙またはプラスチックシートで形成する各桟の幅は、厚さとの関連において、格子体を比較的に硬い糞に押し付けたときに糞を切断するに十分な強度を呈し得る値に設定するが、最低限の幅よりも十分に大きい幅とすれば、格子体のネットが本来有する糞との大きい接触面積をさらに増大し得るから、ネット部の糞に対する保持力、捕捉力が顕著に向上する。
【００４１】
この第４の実施例においては、収容部４１は図示の箱形のものに代えて図１の筒状の紙コップとすることも可能であり、ネット部４２はその場合図１のネット部１２と同様に円形とし、格子体の縦桟４２ａと横桟４２ｂを支える環状体を紙コップの開口端内周に嵌め込むようにする。収容部４１はまた、箱形とした場合には図４と図５の第２、第３の実施例に示した折り畳み可能なもの、テーパ形として重ね合わせ可能としたもの、のいずれを採用しても良いが、図６に見られるように通常の箱形としても良いことは勿論である。いずれの場合にも、図６に示すように望ましくは一側面を開放した蓋部４３を用意して、地面等の糞排泄面に押し付けて糞を取り込んだ収容部４１のネット部４２と地面との間に開放側面の側から蓋部４３を挿入して開口４１ｂを閉じ、収容部４１と蓋部４３とを一緒に取り上げて廃棄処分にする。
【実施例５】
【００４２】
図７はこの発明に係る第５の実施例を示し、この場合のペット用糞取り器５０は収容部とネット部、更には蓋部の全てを連続して一枚の紙材またはプラスチック材のシートで形成し、使用時に各部分を折り曲げ、接合させて箱形の糞取り器とする。各部分の連続パターンは限定されるものではないが、図７の例では収容部の方形の底部５１ｅを中心として各側面５１ａ，５１ｂ，５１ｃ，５１ｄを四方に延長させ、例えば一方の対の対向側面５１ａ，５１ｃの側縁に糊代５１ａ’，５１ｃ’を一体形成し、他方の対の対向側面５１ｂ，５１ｄの外方縁からは更にネット部５２と蓋部５３をそれぞれ延長させる。ネット部５２はこの延長部分の内方をくり貫いて形成した方形の環状部１２ａにネット１２ｂの四辺を接着して形成され、各側面５１ａ‐５１ｄを底部５１ｅとの境界線に沿って折り曲げ、糊代５１ａ’，５１ｃ’の例えば圧着性接着剤を介して接合した箱形の収容部に形成された開口を覆うってネット部５２を折り曲げ、その三方の糊代５２’を開口に挿入または接着する。蓋部53は糞の取り込み後にネット部５２の上に被せ、フラップ５３ａで側面５１ｂの外面に固定する。このようにこの実施例のペット用糞取り器５０は使用前は一枚の平坦なシートの状態であるから、生産から販売、更には使用直前まで、如何に多数であっても極めてコンパクトに維持される。
【００４３】
上記の連続パターンは所望に応じて多様に変化し得るが、箱形収容部形成のための各側面部分は図示の糊代による接続以外に、各側面部分間をほぼ三角形の折り畳み部分で連続して形成しておくことも可能である。
【００４４】
上記した実施例１ないし５のいずれにおいても、収容した糞の臭気を消すために消臭剤を用いることが有用である。実施例１の場合収容体１１としての紙コップ内に紙袋等に封入した消臭剤を入れておくことが便宜であるが、市販の紙コップ使用のときは、袋に入れた消臭剤をネット部１２の内面に、糞の取り込みと共に容易に離脱しうるように貼付しておいても良い。また、乾燥剤１４と消臭剤を混合し、破砕可能な紙袋などに入れて蓋体１３に添付し、取り込み前に糞に振り掛ける様にしても良い。
【００４５】
この様に、この発明に係るペット用糞取り器１０；２０；３０；４０；５０は請求項１記載の通り一方の軸線方向端１１ａ；２１ａ；３１ａ；４１ａに開口１１ｂ；２１ｂ；３１ｂ；４１ｂを有する有底筒状の収容部１１；２１；３１；４１；５１と、収容部の開口に取付けて糞に押し付けたとき収容部内に糞を取り入れて保持するネット部１２；２２；３２；４２；５２とを備え、収容部とネット部は紙またはプラスチックでなるものであるから、ペットの糞に直接触れる不快感を最小限にして糞を排泄面から確実に分離して収容でき、糞を直視することなく廃棄でき、安価で無公害の使い捨て可能なものとすることができる。
【図面の簡単な説明】
【００４６】
【図１】この発明に係るペット用糞取り器の一実施例における各構成部分の分解斜視図。
【図２】図１の実施例の一構成部分をなすネット部の平面図。
【図３】図１の実施例におけるネット部の他の実施形態を示す平面図。
【図４】この発明に係るペット用糞取り器の第二実施例の分解斜視図。
【図５】この発明に係るペット用糞取り器の第三実施例の分解斜視図。
【図６】この発明に係るペット用糞取り器の第四実施例の分解斜視図。
【図７】この発明に係るペット用糞取り器の第五実施例の展開平面図。
【符号の説明】
【００４７】
１０；２０；３０；４０；５０      ペット用糞取り器
１１；２１；３１；４１；５１      収容部
１１ａ；２１ａ；３１ａ；４１ａ    軸線一方端
１１ｂ；２１ｂ；３１ｂ；４１ｂ    開口
１１ｃ；４１ｃ；５１ｅ            底部
２１ｆ                            折り畳み線
３１ｄ                            軸線他方端
３１ｅ                            底部フラップ
１２；２２；３２；４２            ネット部
１２ａ                            環状部
１２ｂ                            ネット
１２ｃ                            中心領域
１２ｄ                            周辺領域
１３；２３；３３；４３；５３      蓋部
１４                              乾燥剤
４２ａ                            縦桟
４２ｂ                            横桟
【図１】
2005130738.tif 000003
【図２】
2005130738.tif 000004
【図３】
2005130738.tif 000005
【図４】
2005130738.tif 000006
【図５】
2005130738.tif 000007
【図６】
2005130738.tif 000008
【図７】
2005130738.tif 000009